(57)【要約】【課題】テーブルとして機能する長さが可変しつつも大スペースのテーブルとして使用でき、さらにテーブルとして使用しない場合には天板をキャビネットに片づける機能を兼ね備えたテーブル付きキャビネットを提供する。【解決手段】収納棚を設けた箱型形状のキャビネット本体に可動自在の天板を有するテーブル付きキャビネットであって、キャビネット本体と天板との間にガイド機構を設けて、ガイド機構は天板を水平方向及び垂直方向に移動自在とする。【選択図】図１
2017196261.tif 000002
【特許請求の範囲】
【請求項１】
収納棚を設けた箱型形状のキャビネット本体に可動自在の天板を有するテーブル付きキャビネットであって、キャビネット本体と天板との間にガイド機構を設けて、ガイド機構は天板を水平方向及び垂直方向に移動自在とすることを特徴とするテーブル付きキャビネット。
【請求項２】
ガイド機構は、天板の側部に回転自在に軸支したローラと、同ローラを摺動自在とするキャビネット本体の側板に形成したローラ用ガイド溝と、キャビネット本体の側板に設けたガイドピンと、同ガイドピンを摺動自在とする天板の側部に形成したガイドピン溝からなる
ことを特徴とする請求項１に記載のテーブル付きキャビネット。
【請求項３】
ガイド機構は、天板の側部に設けた凸部と、同凸部を摺動自在とするキャビネット本体の側板に形成した凸部用ガイド溝と、キャビネット本体の側板に設けたガイドピンと、同ガイドピンを摺動自在とする天板の側部に形成したガイドピン溝からなる
ことを特徴とする請求項１に記載のテーブル付きキャビネット。
【請求項４】
ガイド機構は、天板の側部に設けた凸部と、同凸部を摺動自在とするキャビネット本体の側板に形成した凸部用ガイド溝と、キャビネット本体の側板に回転自在に軸支したローラと、同ローラを摺動自在とする天板の側部に形成したローラ用ガイド溝からなる
ことを特徴とする請求項１に記載のテーブル付きキャビネット。
【発明の詳細な説明】
【技術分野】
【０００１】
本発明は、テーブル付きキャビネットに関する。
【背景技術】
【０００２】
従来よりキャビネットでは、天板の一端を連接し脚部を備えることでテーブルとしても使用することができるテーブル付きキャビネットが製造販売されている。テーブル付きキャビネットは、垂設した天板を上方に可動自在とした構造であり、テーブルとして不使用時には天板をキャビネットに垂設して収納するものである。例えば、このような折り曲げ式テーブル構造としては、天板の裏面に屈曲支持機構を配設したものが特許文献１に開示されている。
【先行技術文献】
【特許文献】
【０００３】
【特許文献１】実開平３−９３２３４号公報
【発明の概要】
【発明が解決しようとする課題】
【０００４】
上述したテーブル付きキャビネットでは、キャビネットの前部に天板の一端を連接しており、一度テーブルに変化させると天板の全長がテーブル全長となるため、必要に応じてテーブルとして機能する長さを変化させたくても可変できない構造であった。
その他のテーブル付きキャビネットでは、天板をスライドできるようにスライド機構を取り付けて、キャビネットの内部空間から天板を引き出し可変自在とした構造のものがあるが、テーブルとして機能する長さを可変できる一方でテーブルの長さがキャビネットの奥行と同程度しかないため、小スペースのテーブルとしてしか機能しないものであった。
【０００５】
本発明は上記の点に鑑みて、テーブルとして機能する長さが可変しつつも大スペースのテーブルとして使用でき、さらにテーブルとして使用しない場合には天板をキャビネットに片づける機能を兼ね備えたテーブル付きキャビネットを提供するものである。
【課題を解決するための手段】
【０００６】
本発明の解決しようとする課題は以上の如くであり、次にこの課題を解決するための手段を説明する。
すなわち、請求項１により、収納棚を設けた箱型形状のキャビネット本体に可動自在の天板を有するテーブル付きキャビネットであって、キャビネット本体と天板との間にガイド機構を設けて、ガイド機構は天板を水平方向及び垂直方向に移動自在とすることを特徴とするテーブル付きキャビネットを提供する。
【０００７】
請求項２により、ガイド機構は、天板の側部に回転自在に軸支したローラと、同ローラを摺動自在とするキャビネット本体の側板に形成したローラ用ガイド溝と、キャビネット本体の側板に設けたガイドピンと、同ガイドピンを摺動自在とする天板の側部に形成したガイドピン溝からなることを特徴とする。
【０００８】
請求項３により、ガイド機構は、天板の側部に設けた凸部と、同凸部を摺動自在とするキャビネット本体の側板に形成した凸部用ガイド溝と、キャビネット本体の側板に設けたガイドピンと、同ガイドピンを摺動自在とする天板の側部に形成したガイドピン溝からなることを特徴とする。
【０００９】
請求項４により、ガイド機構は、天板の側部に設けた凸部と、同凸部を摺動自在とするキャビネット本体の側板に形成した凸部用ガイド溝と、キャビネット本体の側板に回転自在に軸支したローラと、同ローラを摺動自在とする天板の側部に形成したローラ用ガイド溝からなることを特徴とする。
【発明の効果】
【００１０】
本発明によれば、テーブルとして機能する長さが可変しつつも大スペースのテーブルとして使用でき、さらに、テーブルとして使用しない場合には天板をキャビネットに起立させて片づける機能を兼ね備えることができる。室内の広さに応じて、テーブルとして使用する領域を可変でき、消費者のさまざまなニーズや使用環境に対応することができる。
【図面の簡単な説明】
【００１１】
【図１】本テーブル付きキャビネットのテーブル状態を示す斜視図である。
【図２】本テーブル付きキャビネットの収納状態を示す斜視図である。
【図３】本テーブル付きキャビネットのテーブル状態を示す正面図である。
【図４Ａ】本テーブル付きキャビネットのテーブル状態を示す側面図である。
【図４Ｂ】図４Ａの要部拡大図である。
【図５】天板及び側板を示す斜視図である。
【図６】（ａ）キャビネット本体に天板を押し込んだ状態を示す側面図である。（ｂ）キャビネット本体から天板を最大限引き出した状態を示す側面図である。
【図７】（ａ）天板を水平から垂直方向に変位する状態を示す側面図である。（ｂ）天板の起立状態を示す側断面図である。
【図８】（ａ）テーブル付きキャビネットのローラ用ガイド溝の変形例を示す要部拡大図である。（ｂ）ローラ用ガイド溝の変形例を示す要部拡大図である。
【図９】第２のガイド機構の天板及び側板の要部を示す斜視図である。
【図１０】第３のガイド機構の要部を示す側面図である。
【図１１】第３のガイド機構の天板及び側板の要部を示す斜視図である。
【発明を実施するための形態】
【００１２】
本発明の収納棚を設けた箱型形状のキャビネット本体に可動自在の天板を有するテーブル付きキャビネットであって、キャビネット本体と天板との間にガイド機構を設けて、ガイド機構は天板を水平方向及び垂直方向に移動自在とすることを特徴とするテーブル付きキャビネットを提供する。
【００１３】
ガイド機構は、天板の側部に回転自在に軸支したローラと、同ローラを摺動自在とするキャビネット本体の側板に形成したローラ用ガイド溝と、キャビネット本体の側板に設けたガイドピンと、同ガイドピンを摺動自在とする天板の側部に形成したガイドピン溝からなることを特徴とする。
【００１４】
また、ガイド機構は、天板の側部に設けた凸部と、同凸部を摺動自在とするキャビネット本体の側板に形成した凸部用ガイド溝と、キャビネット本体の側板に設けたガイドピンと、同ガイドピンを摺動自在とする天板の側部に形成したガイドピン溝からなることを特徴とする。
【００１５】
さらに、ガイド機構は、天板の側部に設けた凸部と、同凸部を摺動自在とするキャビネット本体の側板に形成した凸部用ガイド溝と、キャビネット本体の側板に回転自在に軸支したローラと、同ローラを摺動自在とする天板の側部に形成したローラ用ガイド溝からなることを特徴とする。
【００１６】
以下、本発明の実施の形態について図面を参照しながら詳細に説明する。
【００１７】
図１から図４に示すように、テーブル付きキャビネットＫは、複数の収納棚１６，１６，１６を設けた箱型形状のキャビネット本体Ｃに水平方向及び垂直方向に可動自在の天板Ａを有しており、キャビネット本体Ｃと天板Ａとの間には、天板Ａを水平方向及び垂直方向に移動自在とするガイド機構Ｇ１を設けている。
【００１８】
キャビネット本体Ｃは、上板１１、底板１２、左右側板１３，１４、背板１５及び棚板１６を組み合せて箱型に構成している。図４及び図５に示す左右側板１３，１４の各内側部には、天板Ａの両側部３３，３４に軸支した各ローラＲ，Ｒをガイドするローラ用ガイド溝Ｕ，Ｕが形成されている。ローラ用ガイド溝Ｕは、側板１３，１４の内側部の前方から後方に向かって水平に形成されると共に後方から下方斜めで前方に向かって形成される。また、左右側板１３，１４の各内側部の前方位置には、突出したガイドピンＰ，Ｐを配設している。なお、ローラ用ガイド溝Ｕは、水平方向の溝を水平部２０とし、後方から下方斜めで前方に向かって形成した溝を垂直部２１とする。
【００１９】
天板Ａは、矩形状の板構造であり、両側部３３，３４の後方位置には、それぞれローラＲ，Ｒを回転自在に軸支しており、さらに両側部３３，３４には、ガイドピンＰ，Ｐを摺動するための長孔形状のガイドピン溝Ｑ，Ｑが形成される。ローラＲ，Ｒは天板Ａの上部３１より上方に突出するように軸支することで天板Ａを変位させた場合に天板Ａの上部３１がキャビネット本体Ｃの棚板１６に接触することを防止することができる。図中符号３０は天板Ａの前部であり、３５は天板Ａの後部である。
【００２０】
天板Ａの両ローラＲ，Ｒと左右側板１３，１４の両ローラ用ガイド溝Ｕ，Ｕと、左右側板１３，１４の両ガイドピンＰ，Ｐと、天板Ａの両ガイドピン溝Ｑ，Ｑがキャビネット本体Ｃと天板Ａとの間でガイド機構Ｇ１として機能する構成としている。
【００２１】
［テーブル形態から収納形態への順序］
次に天板Ａがテーブルとして使用できるテーブル形態からキャビネット本体Ｃに収納されている収納形態へ変形する順序について説明する。
【００２２】
先ず、図６及び図７に示すように、天板Ａの両側部３３，３４の各ローラＲ，Ｒは、キャビネット本体Ｃの両側板１３，１４のローラ用ガイド溝Ｕ，Ｕにそれぞれ摺動自在に係合され、さらに、天板Ａの両側部３３，３４の各ガイドピン溝Ｑ，Ｑには、キャビネット本体Ｃの両側板１３，１４から突出した各ガイドピンＰ，Ｐが摺動自在に係合されている。
【００２３】
図６に示すテーブル形態において、天板Ａは、キャビネット本体Ｃの前部より水平方向に引き出されて、ガイド機構Ｇ１により片持ち支持される。
さらに、引き出した天板Ａの前底部３２には立設した六角形状の脚部Ｆを配置し、天板Ａを２点にて支持する構成としている。
【００２４】
天板Ａは、ガイド機構Ｇ１によりキャビネット本体Ｃの前部から引き出す長さを可変することができ、可変する長さＬは、キャビネット本体Ｃの奥行と略同一としている。
【００２５】
次に、図６（ｂ）に示すように、キャビネット本体Ｃの前部から最大限引き出した状態の天板Ａをキャビネット本体Ｃ内に水平に押し込むと、天板Ａの両側部３３，３４の各ローラＲ，Ｒがキャビネット本体Ｃの両側板１３，１４の各ローラ用ガイド溝Ｕ，Ｕにガイドされながら回転移動し、同時に、天板Ａの両側部３３，３４のガイドピン溝Ｑ，Ｑにキャビネット本体Ｃの側板１３，１４のガイドピンＰ，Ｐが係合した状態で摺動移動して、天板Ａがキャビネット本体Ｃ内の後方に移動する。両ガイドピンＰ，Ｐは天板Ａの中途部を両サイドから支持することとなる。
【００２６】
図７（ａ）に示すように、さらに、天板Ａをキャビネット本体Ｃに押し込むと、天板Ａは水平方向から垂直方向に変位する。すなわち、天板ＡはガイドピンＰ，Ｐを中心として水平方向から垂直方向に変位すると同時に、天板Ａ側部３３，３４のローラＲ，Ｒがローラ用ガイド溝Ｕ，Ｕの水平部２０の後端から垂直部２１の斜め下方に沿って回転しながら移動し、最終的には図７（ｂ）に示すように側板１３，１４前部のローラ用ガイド溝Ｕ，Ｕの終端の窪み部２２に係合することで天板Ａが垂直に起立した収納状態となる。
【００２７】
次に、キャビネット本体Ｃの左右側板１３，１４に設けたロックボタンＢを押しこむことでロックボタンＢの先端が天板Ａの側部３３，３４に穿設したロック孔Ｄに係合しロック状態となる。
【００２８】
また、天板Ａが水平方向から垂直方向に変位するため、そのままテーブルとして使用すると不用意に天板Ａが起立する可能性があり、不用意に天板Ａが起立しないように次のような構成を備えるようにしてもよい。
【００２９】
すなわち、図４Ｂ及び図６（ａ）に示すように、天板ＡのローラＲ，Ｒをガイドするローラ用ガイド溝Ｕ，Ｕにおいて、その水平部２０の終端２０ｂより垂直部２１の始端２１ａを若干前方に位置するように構成する。ローラ用ガイド溝Ｕの水平部２０の終端２０ｂにローラＲが位置していることで、天板Ａが起立することがなくなる。図４Ｂ中の符号２０ａは水平部２０の始端であり、２１ｂは垂直部２１の終端であり、２３は天板Ａの後部に当接する終端ピンである。
【００３０】
天板Ａを起立する際には、天板Ａを若干前方へ移動して、天板の両ローラＲ，Ｒがローラ用ガイド溝Ｕの垂直部２１の始端２１ａに位置することで、両ローラＲ，Ｒが垂直部２１の始端２１ａから終端２１ｂに向かって斜め下方に移動して天板Ａを起立させた収納状態とすることができる。上記のような垂直部２１の形状とすることより天板を水平から垂直方向に変位する際に負荷なく移動することができる。
【００３１】
なお、キャビネット本体Ｃに天板Ａを起立して収納した収納状態からテーブル状態に変位する手順は、上述した手順と逆の操作を行うことで、天板Ａをテーブルとして使用することができる。
【００３２】
上記ガイド機構Ｇ１のローラ用ガイド溝Ｕは、直線の水平部２０と略１／４円形状の垂直部２１とからなるが、図８に示す略Ｔ字形状のローラ用ガイド溝Ｕに形成してもよい。
すなわち、水平部２０の中央に垂直部２１の始端２１ａを設ける構成とすることで、天板ＡのローラＲ，Ｒを水平部２０の中央位置に移動すると、ローラＲが垂直部２１の始端２１ａから終端２０ｂに向かって転動して、最終的には天板Ａを起立することができる。
【００３３】
なお、このように左右側板に形成するローラ用ガイド溝Ｕの形状については、さまざまな形態が考えられ、例えば、その水平部を短く形成して天板の引き出し長さを短くすることも可能であり、さらに、垂直部の形状を適宜変更することもできる。また、ローラ用ガイド溝Ｕの垂直部は、下方斜め前方に向かって形成したが、逆に上方斜め前方に向かって形成してもよい。この場合、収納状態の天板は、キャビネット本体Ｃに垂設した構成となる。
【００３４】
キャビネット本体Ｃと天板Ａとの間に設けるガイド機構Ｇ１としては、上述した構成の他に次のような構成でも可能である。なお、下記第２及び第３のガイド機構においては、上述した第１のガイド機構と同一の符号を付した構成について重複説明を省略する。
【００３５】
［第２のガイド機構］
上述した第１のガイド機構Ｇ１は、天板Ａの両側部３３，３４にローラＲ，Ｒを軸支したが、図９に示すように、第２のガイド機構Ｇ２ではローラに代えて天板Ａの両側部３３，３４にピン状の凸部４０，４０をそれぞれ設ける構成としている。
【００３６】
さらに、キャビネット本体Ｃの両側板１３，１４には、天板Ａの両側部３３，３４の各凸部４０に係合する凸部用ガイド溝４１、４１を形成している。
【００３７】
また、天板Ａの両側部３３，３４には、第１のガイド機構と同様に長孔としてのガイドピン溝Ｑ，Ｑがそれぞれ形成されており、キャビネット本体Ｃの両側板１３，１４には、ガイドピン溝Ｑ，Ｑに係合するガイドピンＰ，Ｐをそれぞれ突設している。
【００３８】
すなわち、天板Ａの両側部３３，３４の各凸部４０，４０は、キャビネット本体Ｃの両側板１３，１４の凸部用ガイド溝４１，４１にそれぞれ摺動自在に係合され、さらに、天板Ａの両側部３３，３４の各ガイドピン溝Ｑ，Ｑには、キャビネット本体Ｃの両側板１３，１４から突出した各ガイドピンＰ，Ｐが摺動自在に係合されている。
【００３９】
第２のガイド機構Ｇ２としては、天板Ａの両ガイドピン溝Ｑ，Ｑ及び両凸部４０，４０、キャビネット本体Ｃの側板１３，１４の両ガイドピンＰ，Ｐ及び両凸部用ガイド溝４１，４１とにより構成することで、キャビネット本体と天板との間に第１のガイド機構Ｇ１を備えた実施形態と同様に、天板Ａを水平方向及び垂直方向に移動することができる。かかる構成を備えることでテーブル付きキャビネットＫは、天板をテーブル形態から収納形態へと変位することができる。
【００４０】
［第３のガイド機構］
上述した第１のガイド機構Ｇ１は、天板Ａの両側部３３，３４にローラＲ，Ｒを軸支し、さらに、キャビネット本体Ｃの左右側板１３，１４にガイドピンＰを配設する構成としたが、ローラ及びガイドピンとの取り付け関係を逆となるように、図１０及び図１１中の第３のガイド機構Ｇ２では、天板Ａの左右側部３３，３４にピン状の凸部４０，４０をそれぞれ設け、さらに、キャビネット本体Ｃの左右側板１３，１４にローラＲ’，Ｒ’をそれぞれ配設する構成としている。
【００４１】
すなわち、図１０及び図１１に示す第３のガイド機構Ｇ３は、天板Ａの左右側部３３，３４内側に設けたピン状の凸部４０，４０と、同凸部４０，４０を摺動自在とするキャビネット本体Ｃの側板１３，１４に形成した凸部用ガイド溝４１，４１と、キャビネット本体Ｃの側板１３，１４に回転自在に軸支したローラＲ’，Ｒ’と、同ローラＲ’，Ｒ’を摺動自在とする天板Ａの側部３３，３４に形成した長孔のローラ用ガイド溝Ｑ’，Ｑ’から構成している。
【００４２】
天板Ａの両側部３３，３４の各ピン状の凸部４０，４０は、キャビネット本体Ｃの両側板１３，１４の凸部用ガイド溝４１，４１にそれぞれ摺動自在に係合され、さらに、天板Ａの両側部３３，３４の各長孔のローラ用ガイド溝Ｑ’，Ｑ’には、キャビネット本体Ｃの両側板１３，１４から突出した各ローラＲ’，Ｒ’が回転自在に係合されている。
【００４３】
第３のガイド機構Ｇ３としては、上記構成とすることで、キャビネット本体Ｃと天板Ａとの間に第１のガイド機構Ｇ１を備えた実施形態と同様に、天板Ａを水平方向及び垂直方向に移動することができる。かかる構成を備えることでテーブル付きキャビネットＫは、天板Ａをテーブル形態から収納形態へと変位することができる。
【００４４】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００４５】
Ｋ  テーブル付きキャビネット
Ａ  天板
Ｃ  キャビネット本体
Ｇ１  第１のガイド機構
Ｐ  ガイドピン
Ｑ  ガイドピン溝
Ｒ  ローラ
Ｕ  ローラ用ガイド溝
１１  上板
１２  底板
１３  側板
１４  側板
１５  背板
１６  棚板
３１  上部
３２  底部
３３  側部
３４  側部
【図１】
2017196261.tif 000003
【図２】
2017196261.tif 000004
【図３】
2017196261.tif 000005
【図４Ａ】
2017196261.tif 000006
【図４Ｂ】
2017196261.tif 000007
【図５】
2017196261.tif 000008
【図６】
2017196261.tif 000009
【図７】
2017196261.tif 000010
【図８】
2017196261.tif 000011
【図９】
2017196261.tif 000012
【図１０】
2017196261.tif 000013
【図１１】
2017196261.tif 000014